(57)【要約】【課題】物品収納体の収納部に収納されている物品の清浄度を高く保つことができる物品収納設備の提供。【解決手段】収納部２を横幅方向に複数並べて備えた物品収納体３と、物品収納体３の前後の移動空間４の夫々に配置されて、移動空間４を移動して収納部２に対する物品Ｂの出し入れを行う物品搬送装置５と、移動空間４において浄化空気を上方側から下方側に流動させるダウンフロー式の浄化空気通風手段６とが設けられ、複数の収納部２の夫々に対して、浄化空気を収納部２の横側部から横幅方向に収納部２を通過させて横幅方向に隣接する収納部２との間において上方側から下方側に流動させる収納部浄化空気通風手段３４が設けられている。【選択図】図１
2008007225.tif 000002
【特許請求の範囲】
【請求項１】
収納部を横幅方向に複数並べて備えた物品収納体と、
前記物品収納体の前後の移動空間の夫々に配置されて、前記移動空間を移動して前記収納部に対する物品の出し入れを行う物品搬送装置と、
前記移動空間において浄化空気を上方側から下方側に流動させるダウンフロー式の浄化空気通風手段とが設けられている物品収納設備であって、
前記複数の収納部の夫々に対して、浄化空気を前記収納部の横側部から前記横幅方向に前記収納部を通過させて前記横幅方向に隣接する前記収納部との間において上方側から下方側に流動させる収納部浄化空気通風手段が設けられている物品収納設備。
【請求項２】
前記収納部浄化空気通風手段が、前記横幅方向に隣接する前記収納部同士の間において、前記収納部の横側部から前記横幅方向に浄化空気を通風させる通風手段と前記物品収納体を上下方向に通過させる形態で空気を流動可能とする空気流動空間とを前記横幅方向に交互に配置させるように構成されている請求項１に記載の物品収納設備。
【請求項３】
前記物品収納体が、前記収納部を横幅方向及び上下方向に複数並べて備えた物品収納棚にて構成されている請求項１又は２に記載の物品収納設備。
【請求項４】
前記収納部は、上下方向に間隔を隔てて並べる状態で板状の物品の複数を保持した物品保持体を収納可能に構成され、
前記収納部浄化空気通風手段が、前記収納部に収納された前記物品保持体に対して上下方向における板状の物品の間隙に浄化空気を通過させる形態で浄化空気を前記収納部の横側部から前記横幅方向に前記収納部を通過させるように構成されている請求項１〜３のいずれか一項に記載の物品収納設備。
【請求項５】
前記物品収納体の前後の前記移動空間の夫々において前記物品収納体とは反対側に、対向用収納部を横幅方向に複数並べて備え且つ前記物品搬送装置にて前記対向用収納部に対する物品の出し入れを可能とする対向用物品収納体が設けられ、
前記浄化空気通風手段が、浄化空気を前記移動空間とは反対側から前記対向用物品収納体の前後幅方向に前記対向用収納部を通過させて前記移動空間を上方側から下方側に流動させるように構成されている請求項１〜４のいずれか一項に記載の物品収納設備。
【請求項６】
前記対向用物品収納体の夫々において前記移動空間とは反対側に、物品に対する処理を施す物品処理部が配置されている請求項５に記載の物品収納設備。
【発明の詳細な説明】
【技術分野】
【０００１】
本発明は、収納部を横幅方向に複数並べて備えた物品収納体と、前記物品収納体の前後の移動空間の夫々に配置されて、前記移動空間を移動して前記収納部に対する物品の出し入れを行う物品搬送装置と、前記移動空間において浄化空気を上方側から下方側に流動させるダウンフロー式の浄化空気通風手段とが設けられている物品収納設備に関する。
【背景技術】
【０００２】
上記のような物品収納設備は、例えば、プラズマディスプレイ用のガラス基板などの板状の物品を塵埃の少ない清浄な環境において収納するために用いられている。そして、物品収納体の前後の移動空間の夫々に配置された物品搬送装置のうち、一方の物品搬送装置が物品収納体の収納部に物品を収納して、他方の物品搬送装置がその物品を収納部から取り出すようにしており、物品収納体を用いながら一方の物品搬送装置と他方の物品搬送装置との間での物品の受け渡しを行うようにしている。
【０００３】
従来の物品収納設備は、物品収納体の収納部として、一方の物品搬送装置との間での移載位置と他方の物品搬送装置との間での移載位置とに移動自在で且つ物品を載置支持自在な移動体が設けられ、物品収納体の上方の天井部に、移動空間において上方側から下方側に浄化空気を通風させる浄化空気通風手段が配置されている（例えば、特許文献１参照。）
【０００４】
また、別の従来の物品収納設備は、物品収納体が、収納部を横幅方向及び上下方向に複数並べて備えた物品収納棚にて構成され、物品収納棚及び移動空間の上方の天井部に、移動空間において上方側から下方側に浄化空気を通風させる浄化空気通風手段の複数が並ぶ状態で配置されている（例えば、特許文献２参照。）。
【０００５】
【特許文献１】特開２００２−３７０８０４号公報
【特許文献２】特開平８−７１８７２号公報
【発明の開示】
【発明が解決しようとする課題】
【０００６】
上記従来の物品収納設備では、浄化空気が浄化空気通風手段によって移動空間において上方側から下方側に通風されるだけであるので、物品収納体の各収納部に収納されている物品の清浄度を高く保つことができない虞がある。
説明を加えると、上記従来の物品収納設備では、浄化空気通風手段が物品収納体の上方の天井部に配置されているので、物品収納体に対して浄化空気を上方側から通風させることができる。したがって、複数の収納部の夫々に対して上方側から下方側に浄化空気を通風させることができる可能性がある。しかしながら、例えば、ガラス基板などの板状の物品は、一般的に、上下方向に間隔を隔てて並べる状態で物品保持体に保持されて各収納部に収納されており、各収納部に対して浄化空気を上方側から下方側に通風させても、各収納部に収納されている物品の清浄度を高く保つように浄化空気を通風させることができない。
また、特許文献２に記載の物品収納設備では、物品収納体が収納部を上下方向に複数並べた物品収納棚にて構成されているので、物品収納体に対して浄化空気を上方側から通風させるだけでは、下方側に位置する収納部に対して浄化空気を通風させることが難しく、その下方側に位置する収納部に収納されている物品の清浄度を高く保つことができない虞がある。
【０００７】
本発明は、かかる点に着目してなされたものであり、その目的は、物品収納体の各収納部に収納されている物品の清浄度を高く保つことができる物品収納設備を提供する点にある。
【課題を解決するための手段】
【０００８】
この目的を達成するために、本発明にかかる物品収納設備の第１特徴構成は、収納部を横幅方向に複数並べて備えた物品収納体と、前記物品収納体の前後の移動空間の夫々に配置されて、前記移動空間を移動して前記収納部に対する物品の出し入れを行う物品搬送装置と、前記移動空間において浄化空気を上方側から下方側に流動させるダウンフロー式の浄化空気通風手段とが設けられている物品収納設備において、
前記複数の収納部の夫々に対して、浄化空気を前記収納部の横側部から前記横幅方向に前記収納部を通過させて前記横幅方向に隣接する前記収納部との間において上方側から下方側に流動させる収納部浄化空気通風手段が設けられている点にある。
【０００９】
前記収納部浄化空気通風手段が、複数の収納部の夫々に対して、浄化空気を収納部の横側部から横幅方向に収納部を通過させるので、複数の収納部の夫々に対して水平方向に浄化空気を通風させることができる。したがって、例えば、ガラス基板などの板状の物品のように、上下方向に間隔を隔てて並べる状態で物品保持体に保持されて収納部に収納されている物品であっても、その物品に対して浄化空気を的確に通風させることができることになる。そして、浄化空気が通風される方向が収納部の横側部から横幅方向に収納部を通過させる方向であるので、収納部浄化空気通風手段を収納部に対して物品収納体の横幅方向に配置させることができる。したがって、移動空間の夫々に配置される物品搬送装置が、収納部に対する物品の出し入れを物品収納体の前後幅方向で行うことができ、収納部浄化空気通風手段が邪魔になるのを防止できる。また、収納部浄化空気通風手段は、収納部を通過した浄化空気を横幅方向に隣接する収納部との間において上方側から下方側に流動させるので、浄化空気通風手段にて移動空間を上方側から下方側に流動させる浄化空気の流動を妨げずに、浄化空気を流動させることができる。
以上のことから、物品搬送装置による物品の出し入れを邪魔することなく、物品収納体の収納部に収納されている物品の清浄度を高く保つことができる物品収納設備を提供できるに至った。
【００１０】
本発明にかかる物品収納設備の第２特徴構成は、前記収納部浄化空気通風手段が、前記横幅方向に隣接する前記収納部同士の間において、前記収納部の横側部から前記横幅方向に浄化空気を通風させる通風手段と前記物品収納体を上下方向に通過させる形態で空気を流動可能とする空気流動空間とを前記横幅方向に交互に配置させるように構成されている点にある。
【００１１】
前記複数の収納部の夫々に対して、前記収納部同士の間に配置される通風手段が、収納部の横側部から横幅方向に収納部を通過させるように浄化空気を積極的に通風させることができる。そして、収納部を通過した浄化空気は、横幅方向に隣接する収納部同士の間に配置された空気流動空間を上方側から下方側に流動することになる。
このように、物品収納体の横幅方向において、収納部同士の間に通風手段と空気流動空間とが交互に配置されるだけで、収納部浄化空気通風手段を構成することができ、構成の簡素化を図りながら、物品の清浄度を的確に高く保つことができる。
【００１２】
本発明にかかる物品収納設備の第３特徴構成は、前記物品収納体が、前記収納部を横幅方向及び上下方向に複数並べて備えた物品収納棚にて構成されている点にある。
【００１３】
前記物品収納体を物品収納棚にて構成することにより、簡素な構成の物品収納棚を用いながら、収納部を横幅方向及び上下方向に複数並べて効率よく配設することができる。したがって、限られたスペースに複数の収納部を効率よく配設することができながら、構成の簡素化を図ることができる。
【００１４】
本発明にかかる物品収納設備の第４特徴構成は、前記収納部は、上下方向に間隔を隔てて並べる状態で板状の物品の複数を保持した物品保持体を収納可能に構成され、前記収納部浄化空気通風手段が、前記収納部に収納された前記物品保持体に対して上下方向における板状の物品の間隙に浄化空気を通過させる形態で浄化空気を前記収納部の横側部から前記横幅方向に前記収納部を通過させるように構成されている点にある。
【００１５】
前記収納部浄化空気通風手段は、物品保持体に対して上下方向における板状の物品の間隙に浄化空気を積極的に通風させることができるので、複数の板状の物品に浄化空気を的確に通風させることができる。したがって、物品保持体に保持された複数の板状の物品の清浄度を的確に高く保つことができる。
【００１６】
本発明にかかる物品収納設備の第５特徴構成は、前記物品収納体の前後の前記移動空間の夫々において前記物品収納体とは反対側に、対向用収納部を横幅方向に複数並べて備え且つ前記物品搬送装置にて前記対向用収納部に対する物品の出し入れを可能とする対向用物品収納体が設けられ、前記浄化空気通風手段が、浄化空気を前記移動空間とは反対側から前記対向用物品収納体の前後幅方向に前記対向用収納部を通過させて前記移動空間を上方側から下方側に流動させるように構成されている点にある。
【００１７】
前記移動空間の夫々において物品収納体とは反対側にも、物品搬送装置にて物品の出し入れが可能な対向用収納部を備えた対向用物品収納体を設けることにより、物品収納体だけでなく、対向用物品収納体にも物品を収納することができ、限られたスペースに物品を効率よく収納させることができる。そして、物品収納体に対する物品の出し入れと対向用物品収納体に対する物品の出し入れとを物品搬送装置が兼用するので、構成の簡素化を図ることができる。
しかも、浄化空気通風手段が、浄化空気を移動空間とは反対側から対向用物品収納体の前後幅方向に対向用収納部を通過させて移動空間を上方側から下方側に流動させるので、対向用収納部に対しても水平方向に浄化空気を通風させることができ、対向用収納部に収納される物品の清浄度も高く保つことができる。
【００１８】
本発明にかかる物品収納設備の第６特徴構成は、前記対向用物品収納体の夫々において前記移動空間とは反対側に、物品に対する処理を施す物品処理部が配置されている点にある。
【００１９】
前記移動空間の夫々に配置される物品搬送装置は、対向用物品収納体において移動空間とは反対側に配置された物品処理部から搬入される物品を物品収納体の収納部に収納したり、物品収納体の収納部に収納されている物品を対向用物品収納体において移動空間とは反対側に配置された物品処理部に搬出することができる。そして、移動空間の夫々に配置される物品搬送装置の間での物品の受け渡しを物品収納体を用いて行うことができる。したがって、一方の物品収納部から搬入された物品を、物品収納体を用いて一方の物品搬送装置から他方の物品搬送装置に受け渡すことができ、他方の物品搬送装置は、受け渡された物品を他方の物品収納部に搬出させることができる。このように、物品収納体を用いることにより、物品の清浄度を高く保ちながら、一方の物品処理部と他方の物品処理部との間での物品の受け渡しを行うことができる。
【発明を実施するための最良の形態】
【００２０】
本発明にかかる物品収納設備の実施形態について図面に基づいて説明する。
この物品収納設備は、図１〜図３に示すように、クリーンルーム１内に設置されており、収納部２を横幅方向に複数並べて備えた物品収納体３と、物品収納体３の前後の移動空間４の夫々に配置されて、移動空間４を移動して収納部２に対する物品Ｂの出し入れを行う物品搬送装置５と、移動空間４において浄化空気を上方側から下方側に流動させるダウンフロー式の浄化空気通風手段６とを備えて構成されている。
そして、物品収納体３の前後の移動空間４の夫々において物品収納体３とは反対側に、対向用収納部７を横幅方向に複数並べて備え且つ物品搬送装置５にて対向用収納部７に対する物品Ｂの出し入れを可能とする対向用物品収納体８が設けられている。
また、対向用物品収納体８の夫々において移動空間４とは反対側に、物品Ｂに対する処理を施す物品処理部９が配置されている。
【００２１】
前記クリーンルーム１は、その床部を通気孔が多数形成された多孔状のグレーティング床１０にて構成してあり、その天井に形成された天井吹出部１１から浄化空気を床側に向けて通風させるように構成されている。そして、クリーンルーム１には、ブース１２により上部及び側周囲が囲まれた空間が形成され、そのブース１２にて囲まれた空間内に物品収納体３、対向用物品収納体８及び物品搬送装置５が設置されている。
【００２２】
前記物品収納体３は、収納部２を横幅方向及び上下方向に複数並べて備えた物品収納棚１３にて構成されている。前記物品収納棚１３は、グレーティング床１０上に設置され、棚横幅方向に間隔を隔てて立設された前後一対の支柱１４と、前後一対の支柱９の夫々に支持されて上下方向に間隔を隔てて設けられた載置支持部１５とから構成されている。そして、前後一対の支柱１４と左右一対の載置支持部１５とにより１つの収納部２が形成され、この収納部２が縦横に複数並べて設けられている。各収納部２は、棚横幅方向に隣接するもの同士及び上下方向に隣接するもの同士が空気流動可能に連通されている。
また、最下段の収納部２は、設定高さよりも上方側に位置するように設けられ、その最下段の収納部２の下方には、浄化空気が流動する下方流動空間１６が形成されている。ちなみに、最下段の収納部２の高さは、物品処理部９に物品Ｂを搬送する高さよりも高くしている。
【００２３】
前記対向用物品収納体８は、移動空間４を挟んで物品収納体３と対向する状態でグレーティング床１０上に設置されており、物品収納体３の前後幅方向の両側に設けられている。そして、対向用物品収納体８は、物品収納体３と同様に、対向用収納部７を横幅方向及び上下方向に複数並べて備えた対向用物品収納棚にて構成されている。この対向用物品収納体８の構成は、物品収納体３と同様の構成であるので、詳細な説明は省略する。
【００２４】
前記収納部２及び対向用収納部７は、図４に示すように、物品Ｂとして、例えば、ガラス基板などの板状の物品１７を保持可能な物品保持体１８を収納自在に構成されている。前記物品保持体１８は、格子状に形成された上枠体１８ａ及び下枠体１８ｂと、上枠体１８ａと下枠体１８ｂとを連結する複数の連結体１８ｃと、その連結体１８ｃの上下方向に間隔を隔てて水平方向に延びる状態で設けられた棒状の支持部１８ｄとから構成されている。そして、各支持部１８ｄにて載置支持する状態で板状の物品１７を上下方向に間隔を隔てて並べて保持しており、物品保持体１８の上部、下部、及び、側部の全てにおいて空気流動可能に構成されている。このように、物品保持体１８は、上下方向に間隔を隔てて並べる状態で板状の物品１７の複数を保持するように構成されている。
【００２５】
前記浄化空気通風手段６は、図２の矢印で示すように、対向用物品収納体８の夫々に対して、浄化空気を移動空間４とは反対側から対向用物品収納体８の前後幅方向に対向用収納部７を通過させて移動空間４を上方側から下方側に流動させるように構成されている。
そして、浄化空気通風手段６は、クリーンルーム１内に浄化空気を循環させる形態で供給するクリーンルーム通風手段１９と、ブース１２内に設けられた対向用物品収納体８の各対向用収納部７に浄化空気を通風する収納部通風手段２０と、ブース１２内の空気をブース１１外のクリーンルーム内１に排気する排気用開口部２１とを備えて構成されている。
【００２６】
前記クリーンルーム通風手段１９は、グレーティング床１０を通過した空気を清浄化して浄化空気として天井吹出部１１から吹き出す形態で浄化空気をクリーンルーム１に循環させるように構成されている。
前記クリーンルーム通風手段１９は、グレーティング床１０の下方側に設けられた吸気室２２、天井吹出部１１の上方側に設けられた空気チャンバ室２３、天井吹出部１１に並設されたＨＥＰＡフィルタなどからなるエアーフィルタ２４、吸気室２２と空気チャンバ室２３とを連通接続する接続流路２５、その接続流路２５に設けられて吸気室２２に吸引作用する循環用送風機２６、接続流路２５において循環用送風機２６の空気吐出側に設けられたプレフィルタ２７から構成されている。
【００２７】
前記クリーンルーム１内の空気は、循環用送風機２６の通風作用によってグレーティング床１０を通して吸気室２２に吸い込まれて接続流路２５を流動し、プレフィルタ２７にて清浄化されて空気チャンバ室２３に至る。そして、空気チャンバ室２３に到達した空気は、エアーフィルタ２４にて清浄化されて浄化空気として、天井吹出部１１からクリーンルーム１内に向けて下向きに吹き出される。
このようにして、クリーンルーム１内の空気が、プレフィルタ２７及びエアーフィルタ２４にて清浄化されながら循環されて、浄化空気を天井吹出部１１から下方側に吹き出す形態でクリーンルーム１に常時供給するように構成されている。
【００２８】
前記接続流路２５の循環用送風機２６の吸い込み側には、外気取入流路２８が接続されており、その外気取入流路２８に外気取入量調節用ダンパ２９が設けられている。また、接続流路２５の循環用送風機２６の吐出側には、排気流路３０が接続されており、その排気流路３０に排気量調節用ダンパ３１が設けられている。
そして、外気取入量調節用ダンパ２９及び排気量調節用ダンパ３１の夫々の開度を調節することにより、クリーンルーム通風手段１９にて循環されるクリーンルーム１内の空気のうちの所定量が新鮮な空気と交換されるように構成されている。
【００２９】
前記収納部通風手段２０は、複数の対向用収納部７の夫々に対応してブース１２の側壁部１２ａに装備されている。そして、収納部通風手段２０は、クリーンルーム１内の浄化空気を清浄化してブース１２内に通風させる状態で浄化空気を移動空間４とは反対側から対向用収納部７を通過させるように構成されている。
前記収納部通風手段２０は、塵埃を除去する除塵フィルタ３２と、ブース１２外の浄化空気を吸引して除塵フィルタ３２を通過させる状態で移動空間４とは反対側から対向用収納部７を通過させるように浄化空気を通風させる送風ファン３３とから構成されている。
前記送風ファン３３によってブース１２内に通風される浄化空気は、移動空間４とは反対側から対向用収納部７を通過するように対向用物品収納体８の前後幅方向に沿って通風され、対向用収納部７に収納された物品保持体１８に対して上下方向における板状の物品１７の間隙に通過する状態で対向用収納部７を通過する。
【００３０】
前記排気用開口部２１は、物品収納体３の前後両側に配置された対向用物品収納体８の一方に対向するブース１２の側壁部１２ａのみに設けられている。そして、排気用開口部２１は、下方流動空間１６に対向する状態でブース１２の側壁部１２ａの下端部に配設されている。
【００３１】
前記ブース１２内では、送風ファン３３により浄化空気が通風されるのでその浄化空気の圧力が高くなる。それに対して、排気用開口部２１により浄化空気が排気されるので、その浄化空気の圧力が低くなる。そして、この浄化空気の圧力差により、ブース１２内の空気は、移動空間４とは反対側から対向用収納部７を通過して移動空間４を上方側から下方側に向けて流動するダウンフローとなる。移動空間４を上方側から下方側に向けて流動する浄化空気は、その一部が、排気用開口部２１に向けて流動してブース１２外に排気されたのち、下方側に向けて流動してグレーティング床１０を通して吸気室２２に至る。残りの一部が、そのまま下方側に流動してグレーティング床１０を通して吸気室２２に至る。
【００３２】
前記物品収納体３においては、図１及び図２に図５及び図６に示すように、複数の収納部２の夫々に対して、浄化空気を収納部２の横側部から物品収納体３の横幅方向に収納部２を通過させて横幅方向に隣接する収納部２との間において上方側から下方側に流動させる収納部浄化空気通風手段３４が設けられている。
前記収納部浄化空気通風手段３４は、図５及び図６に示すように、横幅方向に隣接する収納部２同士の間において、収納部２の横側部から横幅方向に浄化空気を通風させる通風手段３５と物品収納体３を上下方向に通過させる形態で空気を流動可能とする空気流動空間３６とを横幅方向に交互に配置させるように構成されている。
そして、収納部浄化空気通風手段３４は、収納部２に収納された物品保持体１８に対して上下方向における板状の物品１７の間隙に浄化空気を通過させる形態で浄化空気を収納部２の横側部から横幅方向に収納部２を通過させるように構成されている。
【００３３】
説明を加えると、物品収納体３の横幅方向に隣接する収納部２同士の間の夫々には、上端部がブース１２内に開口され且つ下端部がグレーティング床１０に接続されて、物品収納体３を上下方向に貫通する貫通路３７が設けられている。そして、物品収納体３の横幅方向に並ぶ貫通路３７に対して、通風手段３５と空気流動空間３６とを交互に配置させる。
前記通風手段３５は、貫通路３７において、浄化空気を通風させる方向が互いに反対側となる状態で２つ配置されている。そして、通風手段３５は、収納部用除塵フィルタ３８と、貫通路３７内の空気を吸引して収納部用除塵フィルタ３８を通過させる状態で収納部２の横側部から横幅方向に浄化空気を通風させる収納部用送風ファン３９とから構成されている。
前記空気流動空間３６は、貫通路３７をそのまま利用して構成されており、収納部２を通過した浄化空気を貫通路３７の収納部２に対向する部分に形成された複数の通気孔３７ａを通して貫通路３７内に流動させて物品収納体３を上下方向に通過させるように構成されている。
【００３４】
各収納部２では、収納部用送風ファン３９により浄化空気が通風されるのでその浄化空気の圧力が高くなる。それに対して、空気流動空間３６に流動する浄化空気は、グレーティング床１０により排気されるので、空気流動空間３６の下端部での浄化空気の圧力が低くなる。この浄化空気の圧力差により、浄化空気は、複数の収納部２の夫々において、収納部２の横側部から物品収納体３の横幅方向に収納部２を通過し、横幅方向に隣接する収納部２との間の空気流動空間３６を上方側から下方側に流動する。
【００３５】
前記対向用物品収納体８の夫々には、図１〜図３に示すように、物品処理部９に対する板状の物品１７の搬出又は物品処理部９からの板状の物品１７の搬入を行う物品搬出入部４０が複数設けられている。この物品搬出入部４０では、物品保持体１８から板状の物品１７を１つずつ取り出して物品処理部９に供給する、又は、物品処理部９から１つずつ供給される板状の物品１７を物品保持体１８に保持させるように構成されている。
各物品搬出入部４０には、物品保持体１８を昇降自在に載置支持する左右一対の昇降支持体４１と、板状の物品１７を載置支持自在で且つ載置支持した板状の物品１７を搬送自在な複数の駆動ローラを備えた搬送体４２とが設けられている。搬送体４２は、左右一対の昇降支持体４１の間に配置されている。
そして、物品搬出入部４０と物品処理部９とを連通する連通部分もブース１２にて囲まれており、その連通部分に浄化空気を上方側から下方側に向けて通風させる搬出入用浄化空気通風手段４３が設けられている。
【００３６】
前記物品搬出入部４０にて物品処理部９に板状の物品１７を１つずつ供給するときには、左右一対の昇降支持体４１にて物品保持体１８を下降させることにより、物品保持体１８から１つの板状の物品１７を搬送体４２に載置支持させる。その後、搬送体４２にて板状の物品１７を載置支持して物品処理部９に搬送する。このような動作を繰り返すことによって、物品保持体１８から板状の物品１７を１つずつ取り出して物品処理部９に供給する。
前記物品処理部９から１つずつ供給される板状の物品１７を物品搬出入部４０にて物品保持体１８に保持させるときには、搬送体４２が１つの板状の物品１７を物品保持体１８にて保持可能な位置まで搬送して、左右一対の昇降支持体４１にて物品保持体１８を上昇させることにより、１つの板状の物品１７を物品保持体１８に保持させる。このような動作を繰り返すことによって、物品処理部９から１つずつ供給される板状の物品１７を物品保持体１８に上下方向に並べる状態で順次保持させる。
【００３７】
前記物品搬送装置５の夫々は、移動空間４のグレーティング床１０に設けられたガイドレール４４及びブース１２の上部に設けられた天井側ガイドレール４５に案内されて走行する走行台車４６と、その走行台車４６に立設された昇降マスト４７に沿って昇降自在な昇降台４８と、その昇降台４８に装備されて物品保持体１８の移載を行う物品移載装置４９とを備えたスタッカークレーンにて構成されている。
そして、図示は省略するが、物品搬送装置５の作動を制御する制御装置が設けられている。
【００３８】
前記物品移載装置４９は、図７及び図８に示すように、上下軸芯Ｐ１周りに旋回自在な旋回台５０、及び、その旋回台５０上に設けられた載置部５１を出退移動自在に支持するリンク機構５２から構成されている。そして、物品移載装置４９は、旋回台５０及びリンク機構５２により載置部５１を旋回移動可能でかつ出退移動可能に構成されている。
前記リンク機構５２は、その基端部が上下軸芯Ｐ２周りで回動自在に旋回台５０に連結された一対の操作リンク５３と、操作リンク５３の先端部に対して上下軸芯Ｐ３周りで回動自在に連結されかつ載置部５１に対して上下軸芯Ｐ４周りで回動自在に連結された揺動リンク５４とから構成されている。
図外の移載用電動モータにて一対の操作リンク５３を連動して上下軸芯周りに揺動操作することにより、載置部５１を昇降台４８に対して突出させる突出状態と載置部５１を昇降台４８に対して引退させる引退状態とに切り換え自在に構成されている。そして、物品移載装置４９は、突出状態（図８参照）と引退状態（図７参照）とに切り換えることによって、収納部２、対向用収納部７及び物品搬出入部４０の昇降支持体４１に対する物品Ｂの移載を行うように構成されている。
【００３９】
例えば、一方の物品処理部９から搬入された板状の物品１７を一時保管して、他方の物品処理部９に搬出する場合において、物品搬送装置５の動作について説明する。
まず、一方の物品処理部９から搬入された板状の物品１７を一時保管するときについて説明する。
一方の物品処理部９から１つずつ供給される板状の物品１７を物品搬出入部４０にて物品保持体１８に保持させると、一方の物品搬送装置５が、走行台車４６の走行、昇降台４８の昇降、及び、物品移載装置４９の作動によって、物品搬出入部４０の昇降支持体４１まで昇降台４８を移動させて昇降支持体４１から物品保持体１８を受け取る。その後、複数の収納部２から物品保持体１８を収納すべき移載対象の収納部を選択して、一方の物品搬送装置５は、走行台車４６の走行、昇降台４８の昇降、及び、物品移載装置４９の作動によって、移載対象の収納部２まで昇降台４８を移動させて受け取った物品保持体１８を移載対象の収納部２に収納する。
また、一方の物品搬送装置５は、一方の物品処理部９から搬入された板状の物品１７を保持した物品保持体１８を一方の対向用物品収納体８の対向用収納部７に収納させることもできる。
【００４０】
次に、収納部２に収納されている物品保持体１８に保持された板状の物品１７を他方の物品処理部９に搬出するときについて説明する。
前記複数の収納部２から他方の物品処理部９に搬出する板状の物品１７を保持した物品収納体１８が収納されている収納部２を移載対象の収納部２と選択して、他方の物品搬送装置５が、走行台車４６の走行、昇降台４８の昇降、及び、物品移載装置４９の作動によって、移載対象の収納部２まで昇降台４８を移動させて移載対象の収納部２に収納されている物品保持体１８を取り出す。その後、他方の物品搬送装置５が、走行台車４６の走行、昇降台４８の昇降、及び、物品移載装置４９の作動によって、他方の物品処理部９に板状の物品１７を搬出する物品搬出入部４０の昇降支持体４１に物品保持体１８を移載する。そして、物品搬出入部４０にて、物品処理部９に板状の物品１７を１つずつ供給する。
また、他方の物品搬送装置５は、収納部２に収納されている物品保持体１８を対向用物品収納体８の対向用収納部７に収納させることもできる。
【００４１】
〔別実施形態〕
（１）上記実施形態では、収納部浄化空気通風手段３４が、通風手段３５と空気流動空間３６とを備えて構成されているが、収納部浄化空気通風手段３４は、複数の収納部２の夫々に対して、浄化空気を収納部２の横側部から横幅方向に収納部２を通過させて横幅方向に隣接する収納部２との間において上方側から下方側に流動させるものであればよく、どのような構成とするかは適宜変更が可能である。
【００４２】
（２）上記実施形態では、物品収納体３の横幅方向に隣接する収納部２同士の間の夫々に貫通路３７を設け、その貫通路３７に対して通風手段３５と空気流動空間３６とを物品収納体３の横幅方向に交互に配置させているが、通風手段３５及び空気流動空間３６を物品収納体３の横幅方向に隣接する収納部２同士の間にどのようにして配置させるかは適宜変更が可能である。
例えば、物品収納体３の横幅方向に隣接する収納部２同士の間の夫々に、物品収納体３を上下方向に連通させる一連の空間を設け、その空間に対して通風手段３５と空気流動空間３６とを物品収納体３の横幅方向に交互に配置させることもできる。この場合、通風手段３５は支柱１４などに固定支持する。
【００４３】
（３）上記実施形態では、物品収納体３が、収納部２を横幅方向及び上下方向に複数並べた物品収納棚１３にて構成しているが、単に、収納部２を横幅方向に複数並べたものを物品収納体３とすることもでき、物品収納体３をどのような構成とするかは適宜変更が可能である。
【００４４】
（４）上記実施形態では、収納部２が、物品Ｂとして、複数の板状の物品１７を保持した物品保持体１８を収納可能に構成されているが、どのような物品を収納可能とするかは適宜変更が可能である。また、物品保持体１８は、板状の物品１７を保持する枚数については適宜変更が可能である。また、物品保持体１８は、上下方向に間隔を隔てて並べる状態で板状の物品１７の複数を保持しているが、どのような状態で複数の板状の物品１７を保持するかは適宜変更が可能である。
【００４５】
（５）上記実施形態では、移動空間４の夫々において物品収納体３とは反対側に、対向用物品収納体８を設けているが、この対向用物品収納体８を設けずに実施することも可能である。また、対向用物品収納体８の夫々において移動空間４とは反対側に、物品処理部９を設けているが、この物品処理部９についても設けずに実施することも可能である。
【００４６】
（６）上記実施形態では、浄化空気通風手段６が、クリーンルーム通風手段１９、収納部通風手段２０、排気用開口部２１を備えることにより、浄化空気を移動空間４とは反対側から対向用物品収納体８の前後幅方向に対向用収納部７を通過させて移動空間４を上方側から下方側に流動させているが、このように浄化空気を流動させるために、どのような構成を備えるかは適宜変更が可能である。
【図面の簡単な説明】
【００４７】
【図１】物品収納設備の平面図
【図２】図１のＡ−Ａ断面図
【図３】図１のＤ−Ｄ断面図
【図４】物品保持体の斜視図
【図５】物品収納体の平面図
【図６】物品収納体の側面図
【図７】引退状態における物品搬送装置の平面図
【図８】突出状態における物品搬送装置の平面図
【符号の説明】
【００４８】
２          収納部
３          物品収納体
４          移動空間
５          物品搬送装置
６          浄化空気通風手段
７          対向用収納部
８          対向用物品収納体
９          物品処理部
１３        物品収納棚
１７        板状の物品
１８        物品保持体
３４        収納部浄化空気通風手段
３５        通風手段
３６        空気流動空間
【図１】
2008007225.tif 000003
【図２】
2008007225.tif 000004
【図３】
2008007225.tif 000005
【図４】
2008007225.tif 000006
【図５】
2008007225.tif 000007
【図６】
2008007225.tif 000008
【図７】
2008007225.tif 000009
【図８】
2008007225.tif 000010